(57)【要約】【課題】  構成を簡単にしてコスト面を有利にする。【解決手段】  床下のピットＰに設けられて伸縮時に上端を昇降させる複数本の伸縮体１と、この複数本の伸縮体１の上端に担持されて伸縮体１の伸縮時に昇降するターンテーブル２とを有してなるターンテーブル装置において、ピットＰに水平方向の旋回を可能に設置される基台フレーム３を有し、この基台フレーム３に伸縮体１の基端を担持させて伸縮体１の上端を上方に対向させ、この伸縮体１がターンテーブル２の下方に同心に位置決められるガイドフレーム４を上端で担持し、このガイドフレーム４がターンテーブル２を旋回可能に担持してなる。【選択図】  図１
2010042877.tif 000002
【特許請求の範囲】
【請求項１】
床下のピットに設けられて伸縮時に上端を昇降させる複数本の伸縮体と、この複数本の伸縮体の上端に担持されてこの伸縮体の伸縮時に昇降するターンテーブルとを有してなるターンテーブル装置において、上記のピットに水平方向の旋回を可能に設置される基台フレームを有し、この基台フレームに上記の伸縮体の基端を担持させてこの伸縮体の上端を上方に対向させ、この伸縮体が上記のターンテーブルの下方に同心に位置決められるガイドフレームを上端で担持し、このガイドフレームが上記のターンテーブルを旋回可能に担持してなることを特徴とするターンテーブル装置。
【請求項２】
上記の複数本の伸縮体が上記の基台フレームおよび上記のガイドフレームの中心を結ぶ中心線を挟んで同数で対峙する二つの伸縮体群を形成すると共に、この各伸縮体郡がそれぞれの上記の伸縮体を横方向の一直線状に整列させて互いに並行してなる請求項１に記載のターンテーブル装置。
【請求項３】
上記のターンテーブルが上記のガイドフレームに保持されてこのターンテーブルに連繋する駆動源で駆動されてなる請求項１に記載のターンテーブル装置。
【請求項４】
上記の基台フレームが上記のピットに設けられてこの基台フレームに連繋する駆動源で駆動されてなる請求項１に記載のターンテーブル装置。
【請求項５】
上記の伸縮体の上端上記のガイドフレームとの間にリンク機構が設けられ、このリンク機構が上記の伸縮体の上端に連設されるブラケットと、このブラケットに下端部を枢着させるリンク部材と、このリンク部材の上端部に枢着されながら上記のガイドフレームに連結されるブラケットとを有してなる請求項１に記載のターンテーブル装置。
【発明の詳細な説明】
【技術分野】
【０００１】
この発明は、ターンテーブル装置に関し、特に、上昇させたターンテーブルを水平状態および傾斜状態で旋回可能にして展示物の展示や遊戯装置などへの利用に最適となるターンテーブル装置の改良に関する。
【背景技術】
【０００２】
上昇させたターンテーブルを水平状態および傾斜状態で旋回可能にして展示物の展示や遊戯装置などへの利用に最適となるターンテーブル装置としては、明確に特許文献として開示されているものを容易に見受けない。
【０００３】
しかしながら、特許文献１には、ジャッキ装置からなる昇降装置で昇降される昇降台がガイドリングの介在下に車両の載置を可能にする回転テーブルを担持し、この回転テーブルが昇降台に保持された駆動部の駆動で回転する提案が開示されている。
【０００４】
それゆえ、この提案によれば、車両などの展示物や遊戯装置などを回転テーブルに載せた状態で昇降装置によって、たとえば、観者の目線位置に置くことが可能になり、この状態で回転テーブルを回転することで、観者が移動することなく、展示物の外観や遊戯装置の挙動を全周に亙って視認できる。
【特許文献１】特開平８‐１０３３５３号公報（明細書中の段落０００９，同００１０，図１参照）
【発明の開示】
【発明が解決しようとする課題】
【０００５】
しかしながら、上記した特許文献１に開示の提案にあっては、展示物の外観や遊戯装置などの挙動を全周に亙って視認できる点で問題がある訳ではないが、観者の様々な要望に応じられない不具合があると指摘される可能性がある。
【０００６】
すなわち、上記の特許文献１に開示の提案にあっては、回転テーブルが傾斜しないから、たとえば、回転テーブル上にあって観者の目線位置にある展示物を目線位置より上方から視認したり、遊戯装置などの挙動を目線位置より上方から視認したりできない不具合がある。
【０００７】
そして、上記の状態から、展示物や遊戯装置類を昇降させずして、展示物や遊戯装置などの上方の状態や下方の状態を視認させるには、回転テーブルを傾斜させるのが良いが、回転テーブルを傾斜させるためには、昇降装置の伸縮制御を複雑にし、コスト面での不利が危惧される。
【０００８】
この発明は、このような現状を鑑みて創案されたものであって、その目的とするところは、構成を簡単にしてコスト面を有利にし、その汎用性の向上を期待するのに最適となるターンテーブル装置を提供することである。
【課題を解決するための手段】
【０００９】
上記した目的を達成するために、この発明によるターンテーブルの構成を、基本的には、床下のピットに設けられて伸縮時に上端を昇降させる複数本の伸縮体と、この複数本の伸縮体の上端に担持されてこの伸縮体の伸縮時に昇降するターンテーブルとを有してなるターンテーブル装置において、上記のピットに水平方向の旋回を可能に設置される基台フレームを有し、この基台フレームに上記の伸縮体の基端を担持させてこの伸縮体の上端を上方に対向させ、この伸縮体が上記のターンテーブルの下方に同心に位置決められるガイドフレームを上端で担持し、このガイドフレームが上記のターンテーブルを旋回可能に担持してなるとする。
【発明の効果】
【００１０】
それゆえ、この発明にあっては、床下のピットに水平方向の旋回を可能に設置される基台フレームを有し、この基台フレームに複数本の伸縮体の基端を担持させて各伸縮体の上端を上方に対向させ、この各伸縮体がターンテーブルの下方に同心に位置決められるガイドフレームを上端で担持し、このガイドフレームがターンテーブルを旋回可能に担持するから、選択された伸縮体が上端位置を他の伸縮体の上端位置と異ならしめることで、ガイドフレームを介してターンテーブルが傾斜される。
【００１１】
そして、ターンテーブルが傾斜して斜め方向に旋回する場合には、たとえば、ターンテーブル上の展示物や遊戯装置などが観者の正面で上方を見せるようにしながら斜め回転し、ターンテーブルが水平状態にあるとき、ターンテーブルの水平方向の旋回あるいは基台フレームの水平方向の旋回で、ターンテーブル上の展示物や遊戯装置などが観者の目線位置で水平回転し、展示物や遊戯装置などの全周を視認させる。
【００１２】
さらに、ターンテーブルを傾斜させて斜め方向に旋回させると共に基台フレームを水平方向に旋回させる場合には、たとえば、ターンテーブル上の展示物や遊戯装置などが斜めに回転しながら水平方向に旋回する。
【００１３】
したがって、この発明のターンテーブル装置にあっては、観者をして、ターンテーブル上の展示物や遊戯装置類\などの外観を様々な態様で視認させるが、このとき、基台フレームに起立する複数本の伸縮体が基台フレームおよびガイドフレームの中心を結ぶ中心線を挟んで同数で対峙する二つの伸縮体群を形成すると共に、各伸縮体群の伸縮体が中心線を挟んで対向する伸縮体との距離を同じにしながら各伸縮体郡において横方向の一直線状に整列される場合には、一群の伸縮体の上端位置を他群の伸縮体の上端位置と異ならしめることで、ターンテーブルを傾斜できる。
【００１４】
そして、各伸縮体群における伸縮体の上端位置を異ならしめたり、同じにしたりする制御については、簡単であり、特に、ターンテーブルを斜めにして展示物や遊戯装置などを斜めに回転させながら同時にターンテーブルを水平方向に旋回させる動作については、伸縮体を伸縮させずして基台フレームの旋回のみで対処できる。
【００１５】
その結果、基台フレームを有せず、したがって、伸縮体の伸縮制御で、ターンテーブルが傾斜状態で旋回して展示物や遊戯装置などを斜めに回転させながらこのターンテーブルを水平方向に旋回させるのと同様の視的効果を得るについて、伸縮体の伸縮制御を不要にするから、制御を容易にし、生産コストだけでなく維持コストも少なくし、その汎用性の向上を期待するのに最適となる。
【発明を実施するための最良の形態】
【００１６】
以下に、図示した実施形態に基づいて、この発明を説明するが、この発明によるターンテーブル装置にあっても、図１に示すように、この種のターンテーブル装置の多くがそうであるように、床下のピットＰに設けられて伸縮時に上端を昇降させる複数本の伸縮体１と、この複数本の伸縮体１の上端に担持されて伸縮体１の伸縮時に昇降するターンテーブル２とを有してなるのを基本とする。
【００１７】
なお、このターンテーブル装置は、展示物の展示装置や遊戯装置などを構成するなど任意の目的で利用でき、図示するところでは、ターンテーブル２上に展示物たる車両が固定状態に載置されるとするが、このターンテーブル２上には、遊園地などに設けられる各種の遊戯具類が連結されるとしても良い。
【００１８】
ピットＰは、床Ｆの下方たる床下に形成されるもので、最下降されたターンテーブル２をいわゆる面一に格納させる、すなわち、ターンテーブル２の上面を床Ｆの上面と同じ位置にする状態に格納させるのはもちろんのこと、後述する基台フレーム３およびこの基台フレーム３を駆動する、すなわち、旋回させる駆動源６の収容を可能にする大きさに形成される。
【００１９】
特に、このピットＰは、最収縮された伸縮体１の収容を可能にする深さを有するように形成されるが、伸縮体1の構成如何では、深さの差が顕著に表出され、ターンテーブル装置の設置に要する費用の増大化を誘発することもある。
【００２０】
すなわち、伸縮体１としては、前記した文献開示のように、沿革的には、油圧ジャッキやネジジャッキなどが選択されるが、この場合に、伸縮体１の伸縮ストロークを大きく採ろうとすると、ジャッキ類の全長が大きくなり、したがって、ピットＰの深さを大きくする。
【００２１】
それに対して、近年知られるところのスパイラリフトと称されるものにあっては、スパイラル状の横板と縦板とを組み合せて伸長するから、浅いピットＰに設けられながら大きなストロークの伸長を可能にする。
【００２２】
以上からして、スパイラリフトを伸縮体１にする場合には、ピットＰを浅く形成できるから、ターンテーブル装置の設置に際しての費用を少なくできる点で有利となるであろう。
【００２３】
ただ、この発明にあって、伸縮体１は、ターンテーブル２を担持し、また、伸長度合いでターンテーブル２を傾斜させるものであれば足りるから、その構成が特定される必要はなく、上記のスパイラリフトの外、従来のジャッキ類からなるとしても良い。
【００２４】
ターンテーブル２は、図２中に仮想線図で示すように、平面視を円形にし、多くの場合に、自己支持性を有するなど所定の機械的強度を有し、また、必要以上に重量を大きくしないためにも、図示しないが、フレームにパネルを展設したパネル体からなるとしている。
【００２５】
ところで、このターンテーブル２を担持する伸縮体１は、この発明にあって、複数本とされるが、その立設状況については、以下のようになる。
【００２６】
先ず、複数本の伸縮体１は、図１に示すように、ピットＰに配設の基台フレーム３に基端が担持された状態に立設され、上端を上方に、すなわち、上方のターンテーブル２の下面に隣設されるガイドフレーム４に対向させている。
【００２７】
そして、この複数本となる伸縮体１は、図２に示すように、基台フレーム３（図１参照）およびガイドフレーム４（図１参照）の中心を結ぶ中心線（図示せず）を挟んで同数で対峙する二つの伸縮体群Ａ，Ｂを形成すると共に、各伸縮体郡Ａ，Ｂは、それぞれの伸縮体１が横方向の一直線状に整列されて、互いに並行するとしている。
【００２８】
それゆえ、複数の伸縮体１は、図１に示すように、基台フレーム３とガイドフレーム４の間にあって、図中の左右に振り分けられた状態に位置決められ、したがって、たとえば、Ａ群の伸縮体１の伸長ストロークに比較してＢ群の伸縮体１の伸長ストロークを大きくする場合には、図３に示すように、ターンテーブル２をガイドフレーム４ごと傾斜させることが可能になる。
【００２９】
ちなみに、各伸縮体群Ａ，Ｂにおける各伸縮体１の伸長作動は、同期して行われるのはもちろんで、同期した伸縮作動を保障する上で任意の構成の保障手段が設けられても良い。
【００３０】
一方、ターンテーブル２は、下面に隣設されるガイドフレーム４に担持され、このガイドフレーム４は、ターンテーブル２と同心になる平面視でやや小径の円形に形成され、また、パネルを有せずしてフレームのみからなるフレーム体に形成されて、自己支持性を有するなど所定の機械的強度を有しながら必要以上に重量を大きくしないとしている。
【００３１】
そして、このガイドフレーム４は、ターンテーブル２を旋回させる駆動源５（図１および図３参照）を有し、この駆動源５は、詳しくは図示しないが、たとえば、電動モータと減速器とを有し、その駆動でターンテーブル２を旋回させる。
【００３２】
ちなみに、ターンテーブル２の旋回速度については、多くの場合に、適宜の一定速度に設定されるであろうが、これを可変にするように設定されても良いことはもちろんである。
【００３３】
また、図示するところでは、ターンテーブル２とガイドフレーム４との間における回転中心のずれを阻止するために、ターンテーブル２の軸芯部の下面に垂設した軸部５ａ（図１および図３参照）がガイドフレーム４の軸芯部に嵌入されている。
【００３４】
そして、図示するところでは、ガイドフレーム４がその上面にターンテーブル２の下面に摺接するシューなどの潤滑部材４ａを有して、この潤滑部材４ａの介在によるターンテーブル２のガイドフレーム４に対する円滑な摺動を実現可能にしている。
【００３５】
基台フレーム３は、上記した複数本の伸縮体１の立設を可能にするのはもちろんのこと、複数本の伸縮体１，ガイドフレーム４およびターンテーブル２の荷重を負担し得る機械的強度を有するように形成される。
【００３６】
そして、図示するところでは、詳しくは図示しないが、上記のガイドフレーム４と略同径にしながら同様に形成され、前記したところであるが、ピットＰに配設の駆動源６の駆動で水平方向に旋回される。
【００３７】
なお、図示するところでは、基台フレーム３のピットＰにおける定位置での旋回を保障するように、ピット床Ｐｆ（図１および図３参照）に立設のスリップリング３ａ（図１および図３参照）が基台フレーム３の軸芯部を貫通している。
【００３８】
以上のように形成されたこの発明によるターンテーブル装置にあっては、基本的には、伸縮体１の同期した伸縮でターンテーブル２がガイドフレーム４ごと昇降する。
【００３９】
そして、たとえば、図３に示すように、図中左側となるＡ群（図２参照）の伸縮体１の伸長ストロークに比較して図中右側となるＢ群（図２参照）の伸縮体１の伸長ストロークを大きくする場合には、ターンテーブル２がガイドフレーム４ごと傾斜する。
【００４０】
ところで、ターンテーブル２が傾斜する実際には、図３中で左右となる伸縮体１にあって、下端の相間距離は変動しないが、上端の水平間距離が小さくなることは自明である。
【００４１】
このことからすると、伸縮体１を伸長してターンテーブル２を傾斜させる際には、上記の言わば誤差を解消することが肝要になるが、この解消手段については、種々の構成を提案し得る。
【００４２】
そこで、この発明にあっては、図４に示すリンク機構７の採用で上記の誤差を解消するとし、このリンク機構７が伸縮体１の上端に連設されるブラケット７１と、このブラケット７１に下端部を枢着させるリンク部材７２と、このリンク部材７２の上端部に枢着されながらガイドフレーム４に連結されるブラケット７３とを有してなることで、構成を簡単にして、このターンテーブル装置を実施する際のコスト面を有利にする。
【００４３】
そして、このリンク機構７にあっては、図５に示すように、ターンテーブル２（図１および図３参照）１と共にガイドフレーム４が傾斜するとき、リンク部材７２が傾斜して伸縮体１の上端を傾斜させずに上記した誤差を解消する。
【００４４】
ちなみに、図示するリンク機構７にあっては、伸縮体１の上端に連設される部が平面視で角Ｕ字状を呈するように形成されて内側にリンク部材７２を臨在させるが、図４（Ａ）に示すように、このリンク部材７２が傾斜することなく起立するときに、このリンク部材７２を当接させてそれ以上の倒れを阻止するストッパ７４を有している。
【００４５】
そして、このストッパ７４は、ブラケット７１に螺入されるボルト７４ａと、このボルト７４ａに螺装されるロックナット７４ｂとを有して（図５参照）、ボルト４ａの羅入長さの選択で、最適な調整位置を選択できるとしている。
【００４６】
上記したところにあって、図４（Ｂ）に示すように、リンク部材７２の上端部にブラケット７３を枢着させる軸７２ａは、図示するところでは、いわゆるピンからなるとしている。
【００４７】
それに対して、リンク部材７２の下端部をブラケット７１に枢着させる軸７２ｂは、図示するところでは、いわゆる球面軸受構造を形成する玉付きピンからなるとしている。
【００４８】
それゆえ、このリンク部材７２の下端部とブラケット７１とが球面軸受構造下に連結される場合には、図４（Ｂ）中でリンク部材７２が左右に揺動する事態になる場合にも、いわゆる両者間に齧り現象が発現されず、リンク機構７の滑らかな作動が保障される。
【００４９】
前記したところにあって、各伸縮体群Ａ，Ｂは、それぞれ同数となる三本仕様とされているが、この伸縮体群Ａ，Ｂが機能するところを勘案すると、これに代えて、図示しないが、たとえば、Ａ群が横方向に整列する二本にすると共に、Ｂ群とされる側の伸縮体１を一本とする、いわゆる、２対１に配設されるとしても良い。
【００５０】
そして、この場合には、制御系をより簡素化できる点で有利になり、また、結果として、三本の伸縮体１を円周方向に等間隔に配置することが可能になり、したがって、上記した２対１の配設状態を維持しる設定に代えて、選択された伸縮体１の伸縮で任意の位置でターンテーブル２を傾斜する設定も可能になり、汎用性が一層向上される。
【００５１】
また、前記したところでは、リンク機構７がいわゆる左右の伸縮体１の上端とガイドフレーム４との間に配設されるとしたが、これに代えて、図示しないが、左右の伸縮体１のいずれか一方の伸縮体１の上端とガイドフレーム４との間に配設されるとしても良い。
【図面の簡単な説明】
【００５２】
【図１】この発明によるターンテーブル装置を原理的に示す図である。
【図２】複数本の伸縮体が整列する状態を平面視で示す図である。
【図３】ターンテーブルが傾斜した状態を原理的に示す図である。
【図４】リンク機構を示す図で、（Ａ）は、正面図、（Ｂ）は、側面図である。
【図５】リンク機構の作動状態を図４（Ａ）と同様に示す図である。
【符号の説明】
【００５３】
１  伸縮体
２  ターンテーブル
３  基台フレーム
４  ガイドフレーム
５，６  駆動源
７  リンク機構
７１，７３  ブラケット
７２  リンク部材
Ａ，Ｂ  伸縮体群
Ｐ  ピット
【図１】
2010042877.tif 000003
【図２】
2010042877.tif 000004
【図３】
2010042877.tif 000005
【図４】
2010042877.tif 000006
【図５】
2010042877.tif 000007